(57)【要約】【課題】横電界の影響に起因する表示品位低下や明るさ低下が抑えられる電気光学装置および電子機器を提供する。【解決手段】液晶装置１は、素子基板２０と対向基板３０とに挟持された負の誘電率異方性を有する液晶を含む液晶層４０と、素子基板２０の液晶層４０側に設けられた走査線６２とデータ線６３と画素電極２８と、素子基板２０および対向基板３０の液晶層４０と接する側に設けられ液晶にプレチルトを付与する配向膜２９および配向膜３５と、走査線６２およびデータ線６３と平面的に重なるように配置され画素電極２８と平面的に重なる開口部１５が設けられた遮光部１４とを有し、プレチルトの方位角方向Ｐｄは走査線６２とデータ線６３の各々と交差する方向に沿っており、画素電極２８の中心２８ｃは開口部１５の中心１５ｃに対して走査線６２およびデータ線６３の延在方向の少なくとも一方に沿ってプレチルトの方位角方向Ｐｄの側に配置されている。【選択図】図６
2016095443.tif 000002
【特許請求の範囲】
【請求項１】
一対の基板に挟持された負の誘電率異方性を有する液晶を含む液晶層と、
前記一対の基板のうち一方の基板の前記液晶層の側に設けられた、走査線と、前記走査線と交差するデータ線と、前記走査線と前記データ線との交差に対応して設けられた画素電極と、
前記一対の基板の双方の前記液晶層と接する側に設けられ前記液晶にプレチルトを付与する配向膜と、
前記走査線および前記データ線と平面的に重なるように配置され、前記画素電極と平面的に重なる開口部が設けられた遮光部と、を有し、
前記プレチルトの方位角の方向は、前記走査線と前記データ線の各々と交差する方向に沿っており、
前記画素電極の中心は、前記開口部の中心に対して、前記走査線の延在方向および前記データ線の延在方向の少なくとも一方に沿って前記プレチルトの方位角の方向の側にずれた位置に配置されていることを特徴とする電気光学装置。
【請求項２】
請求項１に記載の電気光学装置であって、
前記遮光部における前記走査線の延在方向に沿った部分と前記データ線の延在方向に沿った部分とのうち一方の部分の幅は他方の部分の幅よりも大きく、
前記画素電極の中心は、前記開口部の中心に対して、前記他方の部分の延在方向に沿って前記プレチルトの方位角の方向の側にずれた位置に配置されていることを特徴とする電気光学装置。
【請求項３】
一対の基板に挟持された負の誘電率異方性を有する液晶を含む液晶層と、
前記一対の基板のうち一方の基板の前記液晶層の側に設けられた、走査線と、前記走査線と交差するデータ線と、前記走査線と前記データ線との交差に対応して設けられた画素電極と、
前記一対の基板の双方の前記液晶層と接する側に設けられ前記液晶にプレチルトを付与する配向膜と、
前記走査線および前記データ線と平面的に重なるように配置され、前記画素電極と平面的に重なる開口部が設けられた遮光部と、を有し、
前記画素電極の平面形状は、前記走査線の延在方向に沿った辺と前記データ線の延在方向に沿った辺とを有する概正方形であり、
前記画素電極の中心は、前記開口部の中心に対して、前記プレチルトの方位角の方向と前記走査線の延在方向とがなす角度が４５°未満である場合は前記データ線の延在方向に沿って前記プレチルトの方位角の方向の側にずれた位置に配置され、前記プレチルトの方位角の方向と前記走査線の延在方向とがなす角度が４５°を超える場合は前記走査線の延在方向に沿って前記プレチルトの方位角の方向の側にずれた位置に配置されていることを特徴とする電気光学装置。
【請求項４】
請求項３に記載の電気光学装置であって、
前記遮光部における前記走査線の延在方向に沿った部分と前記データ線の延在方向に沿った部分とのうち一方の部分の幅は他方の部分の幅よりも大きく、
前記画素電極の中心は、前記開口部の中心に対して、前記一方の部分の延在方向と前記プレチルトの方位角の方向とがなす角度が４５°未満である場合に、前記他方の部分の延在方向に沿って前記プレチルトの方位角の方向の側にずれた位置に配置されていることを特徴とする電気光学装置。
【請求項５】
一対の基板に挟持された負の誘電率異方性を有する液晶を含む液晶層と、
前記一対の基板のうち一方の基板の前記液晶層の側に設けられた、走査線と、前記走査線と交差するデータ線と、前記走査線と前記データ線との交差に対応して設けられた画素電極と、
前記一対の基板の双方の前記液晶層と接する側に設けられ前記液晶にプレチルトを付与する配向膜と、
前記走査線および前記データ線と平面的に重なるように配置され、前記画素電極と平面的に重なる開口部が設けられた遮光部と、を有し、
前記プレチルトの方位角の方向は、前記走査線の延在方向および前記データ線の延在方向に対して４５°傾斜した方向であり、
前記画素電極の平面形状は概正方形であり、
前記画素電極における前記プレチルトの方位角の方向の側の角とその対角とを結ぶ対角線は、前記プレチルトの方位角の方向に対して傾斜しており、
前記画素電極の中心は、前記開口部の中心に対して、前記走査線の延在方向と前記対角線とがなす角度が４５°未満である場合は前記走査線の延在方向に沿って前記プレチルトの方位角の方向の側にずれた位置に配置され、前記走査線の延在方向と前記対角線とがなす角度が４５°を超える場合は前記データ線の延在方向に沿って前記プレチルトの方位角の方向の側にずれた位置に配置されていることを特徴とする電気光学装置。
【請求項６】
請求項５に記載の電気光学装置であって、
前記遮光部における前記走査線の延在方向に沿った部分と前記データ線の延在方向に沿った部分とのうち一方の部分の幅は他方の部分の幅よりも大きく、
前記画素電極の中心は、前記開口部の中心に対して、前記一方の部分の延在方向と前記対角線とがなす角度が４５°を超える場合に、前記他方の部分の延在方向に沿って前記プレチルトの方位角の方向の側にずれた位置に配置されていることを特徴とする電気光学装置。
【請求項７】
請求項１から６のいずれか一項に記載の電気光学装置を備えていることを特徴とする電子機器。
【発明の詳細な説明】
【技術分野】
【０００１】
本発明は、電気光学装置および電子機器に関する。
【背景技術】
【０００２】
電気光学装置として、一対の基板の間に液晶層が挟持され、電圧無印加状態で液晶分子の長軸が基板に対して略垂直方向に配向する垂直配向モードの液晶装置が知られている。垂直配向モードの液晶装置では、配向膜の配向処理により液晶分子にプレチルトを付与し、電圧印加時に液晶分子が傾く方向を制御している。垂直配向モードの液晶装置は、略垂直配向状態で黒表示を行うため高いコントラストが得られるという利点を有している。一方で、垂直配向モードの液晶装置では、画素サイズやプレチルト角が小さくなると、隣り合う画素同士の画素電極間で横電界が生じ易くなる。白表示や中間調表示などの階調の異なる画素同士で横電界の影響により画素の開口領域内に配向不良が発生すると、液晶装置における表示品位の低下や明るさの低下を招いてしまう。
【０００３】
そこで、例えば特許文献１および特許文献２には、画素電極の位置を遮光部に対してプレチルトの方位角の方向（以下では、単に方位角方向ともいう）に沿って相対的にずらした構成の液晶装置が提案されている。このような構成によれば、配向不良が発生する領域が画素の開口領域外に配置され、配向不良が発生しない側の領域が画素の開口領域内に配置されるので、配向不良に起因する表示品位の低下や明るさの低下が抑えられる。
【先行技術文献】
【特許文献】
【０００４】
【特許文献１】特開２００５−２４９２６号公報
【特許文献２】特開２００５−２０２１２５号公報
【発明の概要】
【発明が解決しようとする課題】
【０００５】
ところで、垂直配向モードの液晶装置において、方位角方向は走査線またはデータ線に沿った方向や走査線およびデータ線と交差する方向などに設定されるが、横電界の影響により配向不良が生じる位置は方位角方向によって異なる。特許文献１および特許文献２には、方位角方向が走査線またはデータ線に沿った方向に設定された場合について記載されているが、方位角方向が走査線およびデータ線と交差する方向である場合についての記載はない。したがって、方位角方向が走査線およびデータ線と交差する方向である場合においても、配向不良に起因する表示品位の低下や明るさの低下を抑えることができる液晶装置が求められている。
【課題を解決するための手段】
【０００６】
本発明は、上述の課題の少なくとも一部を解決するためになされたものであり、以下の形態または適用例として実現することが可能である。
【０００７】
［適用例１］本適用例に係る電気光学装置は、一対の基板に挟持された負の誘電率異方性を有する液晶を含む液晶層と、前記一対の基板のうち一方の基板の前記液晶層の側に設けられた、走査線と、前記走査線と交差するデータ線と、前記走査線と前記データ線との交差に対応して設けられた画素電極と、前記一対の基板の双方の前記液晶層と接する側に設けられ前記液晶にプレチルトを付与する配向膜と、前記走査線および前記データ線と平面的に重なるように配置され、前記画素電極と平面的に重なる開口部が設けられた遮光部と、を有し、前記プレチルトの方位角の方向は、前記走査線と前記データ線の各々と交差する方向に沿っており、前記画素電極の中心は、前記開口部の中心に対して、前記走査線の延在方向および前記データ線の延在方向の少なくとも一方に沿って前記プレチルトの方位角の方向の側にずれた位置に配置されていることを特徴とする。
【０００８】
走査線とデータ線とが交差する方向に沿って液晶にプレチルトが付与された垂直配向モードの電気光学装置では、隣り合う画素同士の画素電極間で横電界が生じると、画素電極におけるプレチルトの方位角の方向（以下では、単に方位角方向という）の側の角を挟む２つの辺（走査線の延在方向に沿った辺とデータ線の延在方向に沿った辺）の側の領域に配向不良が発生する。本適用例の構成によれば、走査線およびデータ線と平面的に重なるように配置された遮光部の開口部の中心に対して、画素電極の中心が走査線の延在方向およびデータ線の延在方向の少なくとも一方に沿って方位角方向の側にずれた位置に配置されている。すなわち、画素電極が、遮光部の開口部に対して、走査線の延在方向およびデータ線の延在方向の少なくとも一方に沿って方位角方向の側にずれるように配置されている。そのため、画素電極において配向不良が発生する２つの辺の側の少なくとも一方の領域の一部が開口部外に配置される。これにより、垂直配向モードの電気光学装置において、配向不良が発生する領域（以下では、配向不良発生領域という）のうち開口部内に位置する部分を小さくできるので、配向不良に起因する表示品位の低下や明るさの低下を抑えることができる。
【０００９】
［適用例２］上記適用例に係る電気光学装置であって、前記遮光部における前記走査線の延在方向に沿った部分と前記データ線の延在方向に沿った部分とのうち一方の部分の幅は他方の部分の幅よりも大きく、前記画素電極の中心は、前記開口部の中心に対して、前記他方の部分の延在方向に沿って前記プレチルトの方位角の方向の側にずれた位置に配置されていることが好ましい。
【００１０】
本適用例の構成によれば、画素電極の中心が開口部の中心に対して、遮光部における走査線の延在方向に沿った部分とデータ線の延在方向に沿った部分とのうち幅が小さい方の部分に沿って方位角方向の側にずれた位置に配置されている。言い換えると、例えば、遮光部における走査線の延在方向に沿った部分の幅がデータ線の延在方向に沿った部分の幅よりも大きい場合、画素電極は、データ線の延在方向に沿って、配向不良が発生する側の２つの辺のうち、遮光部の幅が大きい走査線の延在方向に沿った辺の側の領域が遮光部と平面的に重なる方向にずれるように配置される。そのため、遮光部における幅が大きい方の部分（走査線）の延在方向に沿って方位角方向の側にずれるように配置される場合と比べて、配向不良発生領域のより大きな部分を開口部外に配置することができる。
【００１１】
［適用例３］本適用例に係る電気光学装置は、一対の基板に挟持された負の誘電率異方性を有する液晶を含む液晶層と、前記一対の基板のうち一方の基板の前記液晶層の側に設けられた、走査線と、前記走査線と交差するデータ線と、前記走査線と前記データ線との交差に対応して設けられた画素電極と、前記一対の基板の双方の前記液晶層と接する側に設けられ前記液晶にプレチルトを付与する配向膜と、前記走査線および前記データ線と平面的に重なるように配置され、前記画素電極と平面的に重なる開口部が設けられた遮光部と、を有し、前記画素電極の平面形状は、前記走査線の延在方向に沿った辺と前記データ線の延在方向に沿った辺とを有する概正方形であり、前記画素電極の中心は、前記開口部の中心に対して、前記プレチルトの方位角の方向と前記走査線の延在方向とがなす角度が４５°未満である場合は前記データ線の延在方向に沿って前記プレチルトの方位角の方向の側にずれた位置に配置され、前記プレチルトの方位角の方向と前記走査線の延在方向とがなす角度が４５°を超える場合は前記走査線の延在方向に沿って前記プレチルトの方位角の方向の側にずれた位置に配置されていることを特徴とする。
【００１２】
本適用例の構成によれば、画素電極の平面形状が走査線の延在方向に沿った辺とデータ線の延在方向に沿った辺とを有する概正方形であるので、走査線とデータ線とは直交しており、画素電極の対角線と走査線の延在方向とがなす角度は４５°となる。このような電気光学装置において、画素電極における方位角方向の側の角とその対角とを結ぶ対角線の方向と方位角方向とが一致している場合は、画素電極における方位角方向の側の角を挟む２つの辺の一方と他方とで発生する配向不良の程度は略均等となる。画素電極の対角線の方向と方位角方向とが一致している場合を基準とすると、対角線の方向に対して方位角方向が傾斜している場合、すなわち対角線に対して方位角方向が相対的に回転方向にずれている場合、画素電極における方位角方向の側の角を挟む２つの辺の一方と他方とで発生する配向不良の程度に差が生じる。より具体的には、対角線に対して方位角方向が時計回りの回転方向にずれている場合、画素電極における対角線の時計回りの回転方向側に位置する辺、すなわちデータ線の延在方向と平行な辺の側の配向不良の程度は改善し、走査線の延在方向と平行な辺の側の配向不良の程度は悪化する。一方、対角線に対して方位角方向が反時計回りの回転方向にずれている場合、画素電極における対角線の反時計回りの回転方向側に位置する辺、すなわち走査線の延在方向と平行な辺の側の配向不良の程度は改善し、データ線の延在方向と平行な辺の側の配向不良の程度は悪化する。したがって、方位角方向と走査線の延在方向とがなす角度が４５°未満である場合は、対角線に対して方位角方向が時計回りの回転方向にずれているので、画素電極をデータ線の延在方向に沿って方位角方向の側にずらして配置すれば、配向不良の程度が悪化する走査線の延在方向と平行な辺の側の領域の一部を開口部外に配置できる。また、方位角方向と走査線の延在方向とがなす角度が４５°を超える場合は、対角線に対して方位角方向が反時計回りの回転方向にずれているので、画素電極を開口部に対して走査線の延在方向に沿って方位角方向の側にずらして配置すれば、配向不良の程度が悪化するデータ線の延在方向と平行な辺の側の領域の一部を開口部外に配置できる。これにより、垂直配向モードの電気光学装置において、配向不良に起因する表示品位の低下や明るさの低下を抑えることができる。
【００１３】
［適用例４］上記適用例に係る電気光学装置であって、前記遮光部における前記走査線の延在方向に沿った部分と前記データ線の延在方向に沿った部分とのうち一方の部分の幅は他方の部分の幅よりも大きく、前記画素電極の中心は、前記開口部の中心に対して、前記一方の部分の延在方向と前記プレチルトの方位角の方向とがなす角度が４５°未満である場合に、前記他方の部分の延在方向に沿って前記プレチルトの方位角の方向の側にずれた位置に配置されていることが好ましい。
【００１４】
本適用例の構成によれば、遮光部における走査線の延在方向に沿った部分とデータ線の延在方向に沿った部分とのうち幅が大きい方の部分の延在方向と方位角方向とがなす角度が４５°未満である場合に、画素電極の中心は、開口部の中心に対して、幅が小さい方の部分の延在方向に沿って方位角方向の側にずれた位置に配置されている。言い換えると、例えば、遮光部における走査線の延在方向に沿った部分の幅がデータ線の延在方向に沿った部分の幅よりも大きく、対角線に対して方位角方向が時計回りの回転方向に位置している場合に、画素電極は、遮光部の幅が大きい走査線の延在方向に沿った辺の側の領域が遮光部と平面的に重なる方向にずれるように配置される。そのため、画素電極のうち配向不良の程度が悪化する走査線の延在方向と平行な辺の側の領域のより大きな部分を開口部外に配置することができる。
【００１５】
［適用例５］本適用例に係る電気光学装置は、一対の基板に挟持された負の誘電率異方性を有する液晶を含む液晶層と、前記一対の基板のうち一方の基板の前記液晶層の側に設けられた、走査線と、前記走査線と交差するデータ線と、前記走査線と前記データ線との交差に対応して設けられた画素電極と、前記一対の基板の双方の前記液晶層と接する側に設けられ前記液晶にプレチルトを付与する配向膜と、前記走査線および前記データ線と平面的に重なるように配置され、前記画素電極と平面的に重なる開口部が設けられた遮光部と、を有し、前記プレチルトの方位角の方向は、前記走査線の延在方向および前記データ線の延在方向に対して４５°傾斜した方向であり、前記画素電極の平面形状は概正方形であり、前記画素電極における前記プレチルトの方位角の方向の側の角とその対角とを結ぶ対角線は、前記プレチルトの方位角の方向に対して傾斜しており、前記画素電極の中心は、前記開口部の中心に対して、前記走査線の延在方向と前記対角線とがなす角度が４５°未満である場合は前記走査線の延在方向に沿って前記プレチルトの方位角の方向の側にずれた位置に配置され、前記走査線の延在方向と前記対角線とがなす角度が４５°を超える場合は前記データ線の延在方向に沿って前記プレチルトの方位角の方向の側にずれた位置に配置されていることを特徴とする。
【００１６】
本適用例の構成によれば、互いに交差する走査線およびデータ線のそれぞれの延在方向に対して方位角方向が４５°傾斜しているので、走査線とデータ線とは直交している。そして、画素電極における方位角方向の側の角とその対角とを結ぶ対角線は、方位角方向に対して傾斜しているので、対角線と方位角方向とは相対的に回転方向にずれている。このような電気光学装置において、方位角方向に対して対角線が相対的に回転方向にずれている場合、画素電極における方位角方向の側の角を挟む２つの辺の一方と他方とで発生する配向不良の程度に差が生じる。より具体的には、方位角方向に対して対角線が反時計回りの回転方向にずれている場合、画素電極における対角線の反時計回りの回転方向側に位置する辺、すなわち走査線の延在方向と平行な辺の側の配向不良の程度は悪化し、データ線の延在方向と平行な辺の側の配向不良の程度は改善する。一方、方位角方向に対して対角線が時計回りの回転方向にずれている場合、画素電極における対角線の時計回りの回転方向側に位置する辺、すなわちデータ線の延在方向と平行な辺の側の配向不良の程度は悪化し、走査線の延在方向と平行な辺の側の配向不良の程度は改善する。したがって、走査線の延在方向と対角線とがなす角度が４５°未満である場合は、方位角方向に対して対角線が時計回りの回転方向にずれているので、画素電極を走査線の延在方向に沿って方位角方向の側にずらして配置すれば、配向不良の程度が悪化するデータ線の延在方向と平行な辺の側の領域の一部を開口部外に配置できる。また、方位角方向と走査線の延在方向とがなす角度が４５°を超える場合は、方位角方向に対して対角線が反時計回りの回転方向にずれているので、画素電極を開口部に対してデータ線の延在方向に沿って方位角方向の側にずらして配置すれば、配向不良の程度が悪化する走査線の延在方向と平行な辺の側の領域の一部を開口部外に配置できる。これにより、垂直配向モードの電気光学装置において、配向不良に起因する表示品位の低下や明るさの低下を抑えることができる。
【００１７】
［適用例６］上記適用例に係る電気光学装置であって、前記遮光部における前記走査線の延在方向に沿った部分と前記データ線の延在方向に沿った部分とのうち一方の部分の幅は他方の部分の幅よりも大きく、前記画素電極の中心は、前記開口部の中心に対して、前記一方の部分の延在方向と前記対角線とがなす角度が４５°を超える場合に、前記他方の部分の延在方向に沿って前記プレチルトの方位角の方向の側にずれた位置に配置されていることが好ましい。
【００１８】
本適用例の構成によれば、遮光部における走査線の延在方向に沿った部分とデータ線の延在方向に沿った部分とのうち幅が大きい方の部分の延在方向と方位角方向とがなす角度が４５°を超える場合に、画素電極の中心は、開口部の中心に対して、幅が小さい方の部分の延在方向に沿って方位角方向の側にずれた位置に配置されている。言い換えると、例えば、遮光部における走査線の延在方向に沿った部分の幅がデータ線の延在方向に沿った部分の幅よりも大きく、方位角方向に対して対角線が反時計回りの回転方向に位置している場合に、画素電極は、遮光部の幅が大きい走査線の延在方向に沿った辺の側の領域が遮光部と平面的に重なる方向にずれるように配置される。そのため、画素電極のうち配向不良の程度が悪化する走査線の延在方向と平行な辺の側の領域のより大きな部分を開口部外に配置することができる。
【００１９】
［適用例７］本適用例に係る電子機器は、上記に記載の電気光学装置を備えていることを特徴とする。
【００２０】
本適用例の構成によれば、電子機器は上記に記載の電気光学装置を備えているので、表示品位に優れ明るい画像を表示できる電子機器を提供できる。
【図面の簡単な説明】
【００２１】
【図１】本実施形態に係る液晶装置の基本構成を示す概略図。
【図２】本実施形態に係る液晶装置の電気的な構成を示す等価回路図。
【図３】本実施形態に係る液晶装置における配向膜および液晶分子の配向状態を示す概略図。
【図４】第１の実施形態の実施例１に係る液晶装置の画素を拡大して示す平面図。
【図５】第１の実施形態の実施例２に係る液晶装置の画素を拡大して示す平面図。
【図６】第２の実施形態の実施例３に係る液晶装置の画素を拡大して示す平面図。
【図７】第２の実施形態の実施例４に係る液晶装置の画素を拡大して示す平面図。
【図８】第３の実施形態の実施例５に係る液晶装置の画素を拡大して示す平面図。
【図９】第３の実施形態の実施例６に係る液晶装置の画素を拡大して示す平面図。
【図１０】本実施形態に係る電子機器としてのプロジェクターの構成を示す概略図。
【図１１】従来の液晶装置における横電界の影響による配向不良の発生状態を説明する図。
【発明を実施するための形態】
【００２２】
以下、本発明を具体化した実施形態について図面を参照して説明する。使用する図面は、説明する部分が認識可能な状態となるように、適宜拡大、縮小、あるいは誇張して表示している。また、説明に必要な構成要素以外は図示を省略する場合がある。
【００２３】
＜電気光学装置＞
まず、本実施形態に係る電気光学装置としての液晶装置の基本構成について、図１および図２を参照して説明する。図１は、本実施形態に係る液晶装置の基本構成を示す概略図である。詳しくは、図１（ａ）は液晶装置の基本構成を示す概略平面図であり、図１（ｂ）は図１（ａ）のＨ−Ｈ’線に沿った概略断面図である。また、図２は、本実施形態に係る液晶装置の電気的な構成を示す等価回路図である。
【００２４】
ここでは、本実施形態に係る電気光学装置としての液晶装置として、薄膜トランジスター（Thin Film Transistor：ＴＦＴ）を画素のスイッチング素子として備えたアクティブマトリックス型の液晶装置１を例に挙げて説明する。液晶装置１は、例えば、後述する投写型表示装置（プロジェクター）の光変調素子（液晶ライトバルブ）として好適に用いることができるものである。
【００２５】
図１（ａ）および（ｂ）に示すように、液晶装置１は、一対の基板としての素子基板２０および対向基板３０と、素子基板２０と対向基板３０との間に挟持された液晶層４０とを備えている。一方の基板である素子基板２０と、他方の基板である対向基板３０とは互いに対向するように配置されている。素子基板２０の基材２１および対向基板３０の基材３１には、それぞれ、例えば石英基板やガラス基板などの透明な基板が用いられている。
【００２６】
素子基板２０と対向基板３０とは、外縁に沿って枠状に配置されたシール材４２を介して間隔を置いて接合されている。液晶層４０は、素子基板２０と対向基板３０とシール材４２とによって囲まれた空間に封入されている。シール材４２は、例えば熱硬化性または紫外線硬化性のエポキシ樹脂などの接着剤からなる。シール材４２には、対向基板３０と素子基板２０との間隔を一定に保持するためのスペーサー（図示省略）が混入されている。
【００２７】
枠状に配置されたシール材４２の内側には、対向基板３０に枠状に設けられた遮光部３２が配置されている。枠状の遮光部３２の内側は、複数の画素１２がマトリックス状に配列された表示領域１０となっている。表示領域１０は、液晶装置１において、実質的に表示に寄与する領域である。なお、液晶装置１は、表示領域１０の周囲を囲むように設けられたダミー領域などの、実質的に表示に寄与しない領域を備えていてもよい。
【００２８】
素子基板２０の１辺部のシール材４２の平面的に外側には、１辺部に沿ってデータ線駆動回路５１および複数の外部接続端子５４が設けられている。また、その１辺部と直交し互いに対向する２辺部に沿ったシール材４２の内側には、走査線駆動回路５２が設けられている。データ線駆動回路５１および走査線駆動回路５２は、図示しない配線を介して複数の外部接続端子５４に接続されている。素子基板２０および対向基板３０の４つの角部には、素子基板２０と対向基板３０との間で電気的導通をとるための上下導通部５６が設けられている。
【００２９】
以下の説明では、データ線駆動回路５１が設けられた１辺部に沿った方向をＸ方向とし、走査線駆動回路５２が設けられた２辺部に沿った方向をＹ方向とする。図１（ａ）のＨ−Ｈ’線の方向は、Ｙ方向に沿った方向である。また、Ｘ方向およびＹ方向と直交し図１（ｂ）における上方に向かう方向をＺ方向とする。なお、本明細書では、液晶装置１を対向基板３０の表面の法線方向（Ｚ方向）から見ることを「平面視」という。また、平面視での配置を「平面的」と呼ぶ。
【００３０】
図１（ｂ）に示すように、素子基板２０（基材２１）の液晶層４０の側には、画素１２毎に設けられたスイッチング素子であるＴＦＴ２４と、図示しない配線部やコンタクト部などと、画素１２毎に設けられた透光性の画素電極２８と、画素電極２８を覆う配向膜２９とが設けられている。ＴＦＴ２４、配線部、コンタクト部などは公知の構成を有している。画素電極２８は、ＩＴＯ（Indium Tin Oxide）やＩＺＯ（Indium Zinc Oxide）などの光透過性を有する導電膜からなる。
【００３１】
対向基板３０（基材３１）の液晶層４０の側には、遮光部３２と、層間層３３と、第１電極としての共通電極３４と、共通電極３４を覆う配向膜３５とが設けられている。遮光部３２は、平面視で走査線駆動回路５２（図１（ａ）参照）や図示しない複数の配線と平面視で重なる位置に、Ｘ方向およびＹ方向に沿うように枠状に設けられている。
【００３２】
遮光部３２は、例えば遮光性の金属あるいは金属酸化物などからなる。遮光部３２は、対向基板３０側から入射する光を遮蔽して、これらの駆動回路を含む周辺回路の光による誤動作を防止する役目を果たしている。また、不必要な迷光が表示領域１０に入射しないように遮蔽して、表示領域１０の表示における高いコントラストを確保している。
【００３３】
図１（ｂ）に示す層間層３３は、遮光部３２を覆うように形成されている。層間層３３は、例えばシリコン酸化膜（ＳｉＯ2）などの絶縁膜で形成され、光透過性を有している。層間層３３は、遮光部３２などに起因する凹凸を緩和し、共通電極３４が形成される液晶層４０の側の面が平坦となるように設けられている。層間層３３の形成方法としては、例えば、プラズマＣＶＤ（Chemical Vapor Deposition）法などを用いて成膜する方法が挙げられる。
【００３４】
共通電極３４は、例えばＩＴＯ（Indium Tin Oxide）やＩＺＯ（Indium Zinc Oxide）などの光透過性を有する導電膜からなり、層間層３３を覆うとともに、図１（ａ）に示すように対向基板３０の四隅に設けられた上下導通部５６により素子基板２０側の配線に電気的に接続されている。なお、導電性の遮光部３２を直接覆うように共通電極３４を形成することで、層間層３３を省略した構成としてもよい。
【００３５】
配向膜２９および配向膜３５は、液晶装置１の光学設計に基づいて選定される。配向膜２９および配向膜３５は、例えば、ポリイミドなどの有機材料を成膜して、その表面をラビングすることにより、液晶分子に対して略垂直配向処理が施された有機配向膜や、気相成長法を用いてＳｉＯｘ（酸化シリコン）などの無機材料を成膜して、負の誘電率異方性を有する液晶分子に対して略垂直配向させた無機配向膜が挙げられる。
【００３６】
液晶層４０を構成する液晶は、印加される電圧レベルにより分子集合の配向や秩序が変化することにより、光を変調し、階調表示を可能とする。各画素１２の単位で印加された電圧に応じて入射光に対する透過率が増加し、全体として液晶装置１からは画像信号に応じたコントラストをもつ光が射出される、いわゆるノーマリーブラックモードである。
【００３７】
本実施形態では、液晶装置１が、無機材料を斜め蒸着して成膜した配向膜２９および配向膜３５と、負の誘電率異方性を有する液晶を含む液晶層４０とを備え、ノーマリーブラックの光学設計が適用されたＶＡ（Vertical Alignment）モードの液晶装置である。
【００３８】
次に図２を参照して、液晶装置１の電気的な構成について説明する。図２に示すように、表示領域１０には、走査線６２とデータ線６３とが互いに絶縁され交差するように形成されている。走査線６２が延在する方向がＸ方向であり、データ線６３が延在する方向がＹ方向である。画素１２は、走査線６２とデータ線６３との交差に対応して設けられている。画素１２のそれぞれには、画素電極２８と、スイッチング素子としてのＴＦＴ２４（Thin Film Transistor：薄膜トランジスター）とが設けられている。
【００３９】
ＴＦＴ２４のソース電極（図示しない）は、データ線駆動回路５１から延在するデータ線６３に電気的に接続されている。データ線６３には、データ線駆動回路５１（図１（ａ），（ｂ）参照）から画像信号（データ信号）Ｓ１，Ｓ２，…，Ｓｎが線順次で供給される。ＴＦＴ２４のゲート電極（図示しない）は、走査線駆動回路５２から延在する走査線６２の一部である。走査線６２には、走査線駆動回路５２から走査信号Ｇ１，Ｇ２，…，Ｇｍが線順次で供給される。ＴＦＴ２４のドレイン電極（図示しない）は、画素電極２８に電気的に接続されている。
【００４０】
画像信号Ｓ１，Ｓ２，…，Ｓｎは、ＴＦＴ２４を一定期間だけオン状態とすることにより、データ線６３を介して画素電極２８に所定のタイミングで書き込まれる。このようにして画素電極２８を介して液晶層４０に書き込まれた所定レベルの画像信号は、対向基板３０に設けられた共通電極３４（図１（ｂ）参照）との間に形成される液晶容量で一定期間保持される。
【００４１】
なお、保持された画像信号Ｓ１，Ｓ２，…，Ｓｎがリークするのを防止するため、データ線６３に沿って平行するように形成された容量線６４と画素電極２８との間に蓄積容量６５が形成され、液晶容量と並列に配置されている。このように、各画素１２の液晶に電圧信号が印加されると、印加された電圧レベルにより液晶の配向状態が変化する。これにより、液晶層４０（図１（ｂ）参照）に入射した光が変調されて階調表示が可能となる。
【００４２】
次に、液晶装置１の配向膜２９および配向膜３５について図３を参照して説明する。図３は、本実施形態に係る液晶装置における配向膜および液晶分子の配向状態を示す概略図である。詳しくは、図３（ａ）は配向膜と液晶分子の配向状態を示す概略断面図であり、図３（ｂ）は配向膜の配向処理における方位角を示す概略平面図である。
【００４３】
図３（ａ）に示すように、素子基板２０には、画素電極２８を覆うように無機配向膜である配向膜２９が形成されている。また、対向基板３０には、共通電極３４を覆うように無機配向膜である配向膜３５が形成されている。配向膜２９および配向膜３５は、例えば真空蒸着法により、酸化シリコンを斜め蒸着して得られた酸化シリコンの柱状結晶体（図示しない）の集合体である。
【００４４】
配向膜２９の斜め蒸着の方向（配向処理方向）を２９ａで示し、配向膜３５の斜め蒸着の方向（配向処理方向）を３５ａで示す。斜め蒸着により、画素電極２８および共通電極３４の表面側から、酸化シリコンの柱状結晶体が蒸着方向に向かって柱状に成長する。配向膜２９，３５のそれぞれの柱状結晶体が成長する方向２９ｂ，３５ｂと、素子基板２０および対向基板３０の表面の法線とがなす角度をθｂとする。角度θｂは、配向処理方向２９ａ，３５ａと素子基板２０および対向基板３０の表面の法線とがなす角度（図示しない）と必ずしも一致しない。
【００４５】
このような配向膜２９，３５の表面において、液晶層４０に含まれる負の誘電率異方性を有する液晶分子４０ａは、素子基板２０および対向基板３０の表面の法線に対して、その長軸がわずかに傾斜（プレチルト）して略垂直配向する。言い換えると、配向膜２９，３５により、液晶分子４０ａにプレチルトが付与される。液晶分子４０ａが傾斜する方向は配向膜２９，３５のそれぞれの柱状結晶体が傾斜する方向、すなわち柱状結晶体が成長する方向２９ｂ，３５ｂに依存し、液晶分子４０ａの配向膜３５側（＋Ｚ方向側）の端部が配向処理方向３５ａを向くように傾斜する。
【００４６】
液晶分子４０ａの長軸と素子基板２０および対向基板３０の表面の法線とがなす角度θｐを、プレチルト角（傾斜角）という。液晶分子４０ａのプレチルト角θｐは、例えば３°〜５°程度であり、本実施形態では３°である。プレチルト角θｐは、柱状結晶体が成長する方向２９ｂ，３５ｂの角度θｂと必ずしも一致しない。配向膜２９，３５を成膜する際は、配向処理方向２９ａ，３５ａを制御することにより、結果的にプレチルト角θｐが所望の角度になるように柱状結晶体が成長する方向２９ｂ，３５ｂ（角度θｂ）を制御する。
【００４７】
図３（ｂ）に、平面視における配向膜２９の配向処理方向２９ａを破線で示す。平面視における配向膜２９の配向処理方向２９ａは、図３（ｂ）の右上から左下に向かい、Ｘ方向（走査線６２の延在方向）に対して反時計回りにθａの角度をなす方向である。また、平面視における配向膜３５の配向処理方向３５ａを実線で示す。平面視における配向膜３５の配向処理方向３５ａは、図３（ｂ）の左下から右上に向かい、Ｘ方向に対して反時計回りにθａの角度をなす方向である。本実施形態では、配向膜２９，３５の配向処理方向２９ａ，３５ａとＸ方向とがなす角度θａは４５°である。
【００４８】
平面視において液晶分子４０ａ（図３（ａ）参照）が傾斜する方向とＸ方向（走査線６２の延在方向）とがなす角度をプレチルトの方位角という。また、平面視において液晶分子４０ａが傾斜する方向をプレチルトの方位角の方向Ｐｄという（以下では、単に方位角方向Ｐｄともいう）。液晶分子４０ａは、配向膜２９，３５の配向処理方向２９ａ，３５ａに沿って傾斜する。したがって、プレチルトの方位角はθａであり、本実施形態ではプレチルトの方位角θａはＸ方向に対して反時計回りに４５°をなす角度である。また、方位角方向Ｐｄは、配向処理方向３５ａと同じ左下から右上に向かう方向である。
【００４９】
液晶装置１では、図３（ａ）に示す画素電極２８と共通電極３４との間に交流電圧を印加して液晶層４０を駆動すると、画素電極２８と共通電極３４との間に生ずる電界によって、液晶分子４０ａが方位角方向Ｐｄ（図３（ｂ）参照）に倒れたり、プレチルト角θｐで略垂直配向する状態に戻ったりする挙動を繰り返す。
【００５０】
液晶装置１を後述するプロジェクター１００の液晶ライトバルブ１２１，１２２，１２３（図１０参照）に用いる場合、液晶装置１は、クロスニコルに配置された一対の偏光素子の間に隙間を置いて配置される。一対の偏光素子の透過軸または吸収軸に対して、液晶装置１はプレチルトの方位角θａが４５°で交差するように配置される。すなわち、画素電極２８と共通電極３４との間に駆動電圧を印加して液晶層４０を駆動すると、液晶分子４０ａが方位角方向Ｐｄに倒れることにより、高い透過率が得られる光学的な配置となっている。
【００５１】
一般に、液晶装置１のような垂直配向モードの液晶装置は、略垂直配向状態で黒表示を行うため高いコントラストが得られるという利点を有している。しかしながら、垂直配向モードの液晶装置では、小型化に伴い画素サイズやプレチルト角が小さくなると、隣り合う画素同士の画素電極間で横電界が生じ易くなる。横電界の影響により配向不良が発生すると、液晶装置における表示品位の低下や明るさの低下を招いてしまう。
【００５２】
横電界の影響により配向不良が発生した状態を、従来の液晶装置を例に、図１１を参照して説明する。図１１は、従来の液晶装置における横電界の影響による配向不良の発生状態を説明する図である。詳しくは、図１１（ａ）は配向不良が発生した状態を示す概略断面図であり、図１１（ｂ）は配向不良が発生した状態を示す概略平面図である。また、図１１（ａ）は図３（ａ）に示す断面に相当し、図１１（ｂ）は配向不良が発生した状態の一つの画素を拡大して示す平面図である。
【００５３】
図１１（ａ），（ｂ）に示す液晶装置９は、従来の液晶装置の一例であり、上述した液晶装置１と同様の基本構成を有している。まず、液晶装置９の画素１２の構成を、図１１（ｂ）を参照して説明する。図１１（ｂ）に示すように、液晶装置９は、走査線６２およびデータ線６３（図２参照）と平面的に重なるように配置された遮光部１４を備えている。
【００５４】
画素１２は、例えば概正方形である。Ｙ方向において隣り合う画素１２同士の境界は走査線６２（図２参照）の幅方向の中心と一致し、Ｘ方向において隣り合う画素１２同士の境界はデータ線６３（図２参照）の幅方向の中心と一致するものとする。画素１２の領域のうち、遮光部（ブラックマトリックス：ＢＭ）１４で遮光される領域を斜線を付して示す。
【００５５】
遮光部１４は、例えば、走査線６２およびデータ線６３やＴＦＴ２４（図２参照）の電極および配線部などで構成されるが、これらとは別に遮光層が設けられていてもよい。遮光部１４のうち、Ｘ方向（走査線６２の延在方向）に沿った部分を１４ｘとし、Ｙ方向（データ線６３の延在方向）に沿った部分を１４ｙとする。部分１４ｘの幅と部分１４ｙの幅とは略同一である。
【００５６】
遮光部１４は、画素電極２８と平面的に重なる開口部１５を有している。開口部１５は、画素１２において光が透過する領域である。開口部１５の中心を１５ｃとする。開口部１５の中心１５ｃは、開口部１５の領域を面積が互いに等しい２つの部分に分割するＸ方向に沿った直線と、開口部１５の領域を面積が互いに等しい２つの部分に分割するＹ方向に沿った直線との交点として定めることができる。
【００５７】
図１１（ｂ）に示す遮光部１４では、４つの角部に開口部１５側に張り出した部分を有している。この張り出した部分には、例えば、ＴＦＴ２４や図示しない中継電極などが平面的に重なるように配置されている。なお、遮光部１４が張り出した部分を有しておらず、開口部１５が矩形状となっていてもよい。
【００５８】
図１１（ｂ）に破線で示す画素電極２８は、Ｘ方向（走査線６２の延在方向）に沿った２つの辺２８ｘと、Ｙ方向（データ線６３の延在方向）に沿った２つの辺２８ｙとを有する概正方形である。画素電極２８は、これら４つの辺が遮光部１４と平面的に重なるように配置されている。画素電極２８の領域のうち、光を透過する開口部１５内に位置する領域（開口部１５と平面的に重なる領域）が実質的に表示に寄与する。
【００５９】
画素電極２８の対角線のうち、方位角方向Ｐｄの側に位置する角２８ａとその対角２８ｂとを結ぶ対角線を２８ｄとする。対角線２８ｄとＸ方向とがなす角度θｅは、プレチルトの方位角θａと同じ４５°となる。画素電極２８の中心を２８ｃとする。画素電極２８の中心２８ｃは、対角線２８ｄと、対角線２８ｄと交差する対角線との交点として定めることができる。液晶装置９では、画素電極２８の中心２８ｃと開口部１５の中心１５ｃとが同じ位置（平面的に重なる位置）にあるものとする。
【００６０】
例えば、画素１２の配置ピッチを７．０μｍとする。すなわち、画素１２の１辺の長さを７．０μｍとする。画素電極２８の１辺の長さを６．２μｍとする。そうすると、隣り合う画素電極２８同士の間の間隔は０．８μｍである。画素電極２８の中心２８ｃと開口部１５の中心１５ｃとが同じ位置にあるので、画素電極２８の４つの辺のそれぞれと画素１２同士の境界との距離はともに、０．４μｍである。
【００６１】
図１１（ａ）における隣り合う２つの画素１２のうち右側に位置する画素１２では、画素電極２８と共通電極３４との間に白表示を行う駆動電圧を印加されており、液晶分子４０ａが方位角方向Ｐｄ（図１１（ｂ）参照）に大きく倒れている。図１１（ａ）における左側に位置する画素１２では、画素電極２８と共通電極３４との間に白と黒との中間調表示を行う駆動電圧を印加されており、液晶分子４０ａが白表示状態と黒表示状態との中間程度に倒れている。
【００６２】
本来は、図１１（ａ）における右側に位置する画素１２と左側に位置する画素１２とのそれぞれにおいて、液晶分子４０ａが均一に倒れて光の透過率が均一になるべきである。しかしながら、右側に位置する画素１２と左側に位置する画素１２とにおける境界付近において横電界が生じると、それぞれの画素１２の境界付近の液晶分子４０ａが横電界の影響を受けて、他の液晶分子４０ａと異なる傾斜角度で倒れたり方位角方向Ｐｄと異なる方向に傾斜したりしてしまう。
【００６３】
プレチルト角θｐが小さいほど、横電界の影響を受けやすくなる。また、画素１２の配置ピッチが狭く隣り合う画素電極２８同士の間隔が狭くなるほど横電界の影響を受けやすくなる。図１１（ａ）に示すように、横電界の影響を受けて液晶分子４０ａの配向に乱れが生じると、右側に位置する画素１２と左側に位置する画素１２とにおける隣り合う画素電極２８同士の境界付近に配向不良が発生する。配向不良が発生する領域を、配向不良発生領域Ｄとする。
【００６４】
図１１（ｂ）に示すように、平面視においては、例えば、画素電極２８の４つの辺のうち、液晶分子４０ａが倒れる方向の側に位置する２つの辺、すなわち方位角方向Ｐｄの側の角２８ａを挟む２つの辺２８ｘ，２８ｙの側に配向不良が発生する。これら２つの辺のうちＸ方向に沿った辺２８ｘの側で配向不良が発生する領域を配向不良発生領域Ｄｘとし、Ｙ方向に沿った辺２８ｙの側で配向不良が発生する領域を配向不良発生領域Ｄｙとする。配向不良発生領域Ｄｘおよび配向不良発生領域Ｄｙにおける配向不良の程度（表示品位への影響度合い）は略同等となる。
【００６５】
配向不良は隣り合う画素電極２８との境界付近に発生するので、配向不良発生領域Ｄｘおよび配向不良発生領域Ｄｙの大きな部分が開口部１５内に配置されることとなる。配向不良が発生すると、配向不良発生領域Ｄｘ，Ｄｙが局所的に暗くなるので、開口部１５内に位置する配向不良発生領域Ｄｘ，Ｄｙがユーザーに視認され易くなるとともに、画素１２の明るさが低下する。したがって、配向不良が発生すると、液晶装置９における表示品位の低下や明るさの低下を招いてしまう。なお、配向不良が発生する位置は、プレチルトの方位角θａ、すなわち、配向膜２９，３５の配向処理方向２９ａ，３５ａ（図３（ｂ）参照）によって異なる場合がある。
【００６６】
（第１の実施形態）
以下に、第１の実施形態に係る液晶装置の構成について、図４および図５を参照して説明する。第１の実施形態に係る液晶装置は、横電界の影響により配向不良が発生した場合でも、表示品位の低下や明るさの低下を抑えることが可能な構成を有している。第１の実施形態に係る液晶装置には、液晶装置１を基本構成とする２つの実施例があり、２つの実施例のそれぞれについて２通りの構成がある。
【００６７】
（実施例１）
図４は、第１の実施形態の実施例１に係る液晶装置の画素を拡大して示す平面図である。実施例１では、従来の液晶装置９と比べて画素電極２８が遮光部１４に対して相対的にずれた位置に配置されている点が異なるが、その他の構成は液晶装置９と同じであるものとする。実施例１には、画素電極２８の配置位置によって、液晶装置１Ａと液晶装置１Ｂとの２通りの構成がある。図４（ａ）には画素電極２８がＹ方向に沿ってずれた位置に配置された液晶装置１Ａを示し、図４（ｂ）には画素電極２８がＸ方向に沿ってずれた位置に配置された液晶装置１Ｂを示している。
【００６８】
（実施例１−１）
図４（ａ）に示す液晶装置１Ａにおいて、図１１（ｂ）に示す液晶装置９の構成と異なる点を説明する。図４（ａ）に示す液晶装置１Ａでは、画素電極２８の中心２８ｃは、開口部１５の中心１５ｃに対して、Ｙ方向（データ線６３の延在方向）に沿って方位角方向Ｐｄの側（＋Ｙ方向側）にずれた位置に配置されている。画素電極２８の中心２８ｃと開口部１５の中心１５ｃとの距離は、例えば、０．３５μｍである。すなわち、画素電極２８が開口部１５に対して、Ｙ方向に沿って方位角方向Ｐｄの側に０．３５μｍずれるように配置されている。
【００６９】
したがって、画素電極２８のＸ方向に沿った２つの辺２８ｘのうち、配向不良が発生する側である方位角方向Ｐｄの側の辺２８ｘと画素１２同士の境界との距離は、０．０５μｍであり、方位角方向Ｐｄと反対側（−Ｙ方向側）の辺２８ｘと画素１２同士の境界との距離は、０．７５μｍである。一方、画素電極２８のＹ方向に沿った２つの辺２８ｙのうち、方位角方向Ｐｄの側（＋Ｘ方向側）の辺２８ｙと画素１２同士の境界との距離、および、方位角方向Ｐｄと反対側（−Ｘ方向側）の辺２８ｙと画素１２同士の境界との距離はともに、０．４０μｍである。
【００７０】
言い換えると、画素電極２８が遮光部１４に対して、配向不良発生領域Ｄｘの側と遮光部１４（部分１４ｘ）との平面的な重なりが大きくなる方向にずれるように配置されている。そのため、画素電極２８の中心２８ｃと開口部１５の中心１５ｃとが同じ位置にある従来の液晶装置９と比べて、配向不良発生領域Ｄｘのうち遮光部１４と平面的に重なる部分が大きくなる。そして、その分だけ配向不良発生領域Ｄｘとは反対側の領域が開口部１５内に配置される。これにより、液晶装置１Ａでは、配向不良発生領域Ｄｘのうち開口部１５内に位置する部分を小さくできるので、配向不良に起因する表示品位の低下や明るさの低下を抑えることができる。
【００７１】
（実施例１−２）
図４（ｂ）に示す液晶装置１Ｂでは、画素電極２８の中心２８ｃは、開口部１５の中心１５ｃに対して、Ｘ方向（走査線６２の延在方向）に沿って方位角方向Ｐｄの側にずれた位置に配置されている。画素電極２８の中心２８ｃと開口部１５の中心１５ｃとの距離は、例えば、０．３５μｍである。すなわち、画素電極２８は開口部１５に対して、Ｘ方向に沿って方位角方向Ｐｄの側に０．３５μｍずれるように配置されている。
【００７２】
言い換えると、画素電極２８が遮光部１４に対して、配向不良発生領域Ｄｙの側と遮光部１４（部分１４ｙ）との平面的な重なりが大きくなる方向にずれるように配置されている。そのため、従来の液晶装置９と比べて、配向不良発生領域Ｄｙのうち遮光部１４と平面的に重なる部分が大きくなる。そして、その分だけ配向不良発生領域Ｄｙとは反対側の領域が開口部１５内に配置される。これにより、液晶装置１Ｂでは、配向不良発生領域Ｄｙのうち開口部１５内に位置する部分を小さくできるので、配向不良に起因する表示品位の低下や明るさの低下を抑えることができる。
【００７３】
上述の液晶装置１Ａおよび液晶装置１Ｂでは、画素電極２８が遮光部１４に対してＸ方向またはＹ方向のいずれか一方に沿ってずれるように配置される構成としたが、配向不良発生領域Ｄｘおよび配向不良発生領域Ｄｙにおける配向不良の程度（表示品位への影響度合い）は略同等である。したがって、液晶装置１Ａと液晶装置１Ｂとでは、略同等の効果が得られる。
【００７４】
なお、画素電極２８が遮光部１４に対してＸ方向およびＹ方向の双方に沿って方位角方向Ｐｄの側に配置された構成としてもよい。このような構成にすれば、配向不良発生領域Ｄｘおよび配向不良発生領域Ｄｙの双方について開口部１５内に位置する部分を小さくできるので、配向不良に起因する表示品位の低下や明るさの低下をより抑えることができる。
【００７５】
（実施例２）
図５は、第１の実施形態の実施例２に係る液晶装置の画素を拡大して示す平面図である。実施例２では、実施例１と比べて、遮光部のＸ方向に沿った部分とＹ方向に沿った部分のうち一方の幅が他方の幅よりも大きい点が異なっている。実施例２には、遮光部のＸ方向に沿った部分とＹ方向に沿った部分とのうちどちらの幅が大きいかによって、液晶装置２Ａと液晶装置２Ｂとの２通りの構成がある。図５（ａ）には遮光部のＸ方向に沿った部分の幅がＹ方向に沿った部分の幅よりも大きい液晶装置２Ａを示し、図５（ｂ）には遮光部のＹ方向に沿った部分の幅がＸ方向に沿った部分の幅よりも大きい液晶装置２Ｂを示している。
【００７６】
（実施例２−１）
図５（ａ）に示す液晶装置２Ａは、実施例１の液晶装置１Ａに対して、開口部１７を有する遮光部１６を備えている。遮光部１６はＸ方向に沿った部分１６ｘとＹ方向に沿った部分１６ｙとを有し、部分１６ｘの幅は部分１６ｙの幅よりも大きい。このような液晶装置２Ａにおいて、画素電極２８の中心２８ｃは、開口部１７の中心１７ｃに対して、幅が小さい方の部分１６ｙの延在方向であるＹ方向に沿って方位角方向Ｐｄの側にずれた位置に配置されている。
【００７７】
言い換えると、画素電極２８が遮光部１６に対して、幅が大きい（すなわち、面積が大きい）方の部分１６ｘに対応する配向不良発生領域Ｄｘの側と遮光部１６（部分１６ｘ）との平面的な重なりが大きくなる方向にずれるように配置されている。そのため、配向不良発生領域Ｄｘのうち、遮光部１６と平面的に重なる部分がより大きくなるので、開口部１７内に位置する部分をより小さくできる。
【００７８】
なお、図５（ａ）において、画素電極２８を開口部１７に対して、Ｘ方向に沿って方位角方向Ｐｄの側にずれた位置に配置した場合にも、配向不良発生領域Ｄｙのうち開口部１７内に位置する部分を小さくできる。しかしながら、Ｙ方向に沿ってずらして配置し、幅が大きい方の部分１６ｘと配向不良発生領域Ｄｘとが平面的に重なる部分を大きくする方が、配向不良発生領域Ｄｘのうち開口部１７内に位置する部分をより小さくできるので、表示品位の低下や明るさの低下をより抑えることができる。
【００７９】
（実施例２−２）
図５（ｂ）に示す液晶装置２Ｂは、開口部１９を有する遮光部１８を備えている。遮光部１８はＸ方向に沿った部分１８ｘとＹ方向に沿った部分１８ｙとを有し、部分１８ｙの幅は部分１８ｘの幅よりも大きい。液晶装置２Ｂでは、画素電極２８の中心２８ｃは、開口部１９の中心１９ｃに対して、幅が小さい方の部分１８ｘの延在方向であるＸ方向に沿って方位角方向Ｐｄの側にずれた位置に配置されている。
【００８０】
言い換えると、画素電極２８が遮光部１８に対して、幅が大きい（すなわち、面積が大きい）方の部分１８ｙに対応する配向不良発生領域Ｄｙの側と遮光部１８（部分１８ｙ）との平面的な重なりが大きくなる方向にずれるように配置されている。そのため、配向不良発生領域Ｄｙのうち、遮光部１８と平面的に重なる部分がより大きくなるので、開口部１９内に位置する部分をより小さくできる。
【００８１】
なお、上述の液晶装置２Ａおよび液晶装置２Ｂにおいて、遮光部におけるＸ方向に沿った部分とＹ方向に沿った部分とのどちらの幅を大きくするかやその幅などの遮光部の構成は、画素１２の配置ピッチや素子基板２０の配線設計などに基づいて決定される。したがって、画素電極２８の中心２８ｃを開口部の中心に対してどの程度ずらして配置するかは、遮光部の設計によって適宜設定される。
【００８２】
以上述べたように、第１の実施形態に係る液晶装置１Ａ，１Ｂの構成によれば、横電界に起因して配向不良が発生する配向不良発生領域Ｄｘ，Ｄｙの少なくとも一方と遮光部１４との平面的な重なりがより大きくなるように、画素電極２８を遮光部１４に対してずらして配置する。また、第１の実施形態に係る液晶装置２Ａ，２Ｂの構成によれば、遮光部１６，１８のＸ方向に沿った部分とＹ方向に沿った部分とで幅が異なる場合に、幅が大きい方の部分１６ｘ，１８ｙと配向不良発生領域Ｄｘ，Ｄｙの一方との平面的な重なりがより大きくなるように、画素電極２８を遮光部１４に対してずらして配置する。これにより、配向不良発生領域Ｄｘ，Ｄｙのうち開口部１５，１７，１９内に位置する部分を小さくできるので、垂直配向モードの液晶装置１Ａ，１Ｂ，２Ａ，２Ｂにおいて、配向不良に起因する表示品位の低下や明るさの低下を抑えることができる。
【００８３】
（第２の実施形態）
次に、第２の実施形態に係る液晶装置の構成について、図６および図７を参照して説明する。第２の実施形態に係る液晶装置には２つの実施例があり、２つの実施例のそれぞれについて２通りの構成がある。以下では、第１の実施形態に対して異なる点を説明し、その他の説明は省略する。また、第１の実施形態と共通する構成要素については、同一の符号を付しその説明を省略する。
【００８４】
（実施例３）
図６は、第２の実施形態の実施例３に係る液晶装置の画素を拡大して示す平面図である。実施例３では、第１の実施形態の実施例１と比べて、プレチルトの方位角が４５°以外の角度に設定されており、画素電極に対して方位角方向が回転方向にずれている点が異なるが、その他の構成は同じである。実施例３には、プレチルトの方位角が４５°未満であるか４５°を超えるかによって、液晶装置３Ａと液晶装置３Ｂとの２通りの構成がある。図６（ａ）にはプレチルトの方位角が４５°未満に設定された液晶装置３Ａを示し、図６（ｂ）にはプレチルトの方位角が４５°よりも大きく設定された液晶装置３Ｂを示している。
【００８５】
（実施例３−１）
図６（ａ）に示す液晶装置３Ａにおいて、プレチルトの方位角θｃは４５°よりも小さく、例えば４２°に設定されている。したがって、プレチルトの方位角θｃは、画素電極２８の対角線２８ｄとＸ方向とがなす角度θｅよりも３°小さい。言い換えると、画素電極２８に対して、方位角方向Ｐｄが時計回りの回転方向に３°ずれるように配置されている。画素電極２８に対して方位角方向Ｐｄが回転方向にずれて配置されている場合、方位角方向Ｐｄの側の角２８ａを挟む辺２８ｘの側と辺２８ｙの側とで、発生する配向不良の程度に差が生じる。
【００８６】
図６（ａ）に示す液晶装置３Ａのように画素電極２８に対して方位角方向Ｐｄが時計回りの回転方向にずれて配置されている場合、画素電極２８に対して方位角方向Ｐｄがずれていない場合と比べて、対角線２８ｄに対して時計回りの回転方向側に位置する配向不良発生領域Ｄｙにおける配向不良の程度は改善する。一方、対角線２８ｄに対して反時計回りの回転方向側に位置する配向不良発生領域Ｄｘにおける配向不良の程度は悪化する。
【００８７】
このような液晶装置３Ａにおいて、画素電極２８の中心２８ｃは、開口部１５の中心１５ｃに対して、Ｙ方向に沿って方位角方向Ｐｄの側にずれた位置に配置されている。言い換えると、画素電極２８が遮光部１４に対して、配向不良の程度が悪化する方の配向不良発生領域Ｄｘの側と遮光部１４（部分１４ｘ）との平面的な重なりが大きくなる方向にずれるように配置されている。
【００８８】
そのため、画素電極２８の中心２８ｃと開口部１５の中心１５ｃとが同じ位置にある場合と比べて、配向不良の程度が悪化する方の配向不良発生領域Ｄｘのうち、遮光部１４と平面的に重なる部分が大きくなるので、開口部１５内に位置する部分を小さくできる。この結果、表示品位の低下や明るさの低下をより抑えることができる。
【００８９】
なお、図６（ａ）において、画素電極２８を開口部１５に対して、Ｘ方向に沿って方位角方向Ｐｄの側に配置した場合にも、配向不良の程度が改善する方の配向不良発生領域Ｄｙの開口部１５内に位置する部分を小さくできる。しかしながら、Ｙ方向に沿ってずらして配置し、配向不良の程度が悪化する方の配向不良発生領域Ｄｘの開口部１５内に位置する部分をより小さくする方が、表示品位の低下や明るさの低下をより効果的に抑えることができる。
【００９０】
（実施例３−２）
図６（ｂ）に示す液晶装置３Ｂにおいて、プレチルトの方位角θｄは４５°よりも大きく、例えば４８°に設定されている。したがって、プレチルトの方位角θｄは、画素電極２８の対角線２８ｄとＸ方向とがなす角度θｅよりも３°大きい。言い換えると、画素電極２８に対して、方位角方向Ｐｄが反時計回りの回転方向に３°ずれるように配置されている。
【００９１】
画素電極２８に対して方位角方向Ｐｄが反時計回りの回転方向にずれて配置されている場合、画素電極２８に対して方位角方向Ｐｄがずれていない場合と比べて、対角線２８ｄに対して反時計回りの回転方向側に位置する配向不良発生領域Ｄｘにおける配向不良の程度は改善する。一方、対角線２８ｄに対して時計回りの回転方向側に位置する配向不良発生領域Ｄｙにおける配向不良の程度は悪化する。
【００９２】
このような液晶装置３Ｂにおいて、画素電極２８の中心２８ｃは、開口部１５の中心１５ｃに対して、Ｘ方向に沿って方位角方向Ｐｄの側にずれた位置に配置されている。言い換えると、画素電極２８が遮光部１４に対して、配向不良の程度が悪化する方の配向不良発生領域Ｄｙの側と遮光部１４（部分１４ｙ）との平面的な重なりが大きくなる方向にずれるように配置されている。
【００９３】
そのため、画素電極２８の中心２８ｃと開口部１５の中心１５ｃとが同じ位置にある場合と比べて、配向不良の程度が悪化する方の配向不良発生領域Ｄｙのうち、遮光部１４と平面的に重なる部分が大きくなるので、開口部１５内に位置する部分を小さくできる。また、画素電極２８をＹ方向に沿ってずらして配向不良の程度が改善する方の配向不良発生領域Ｄｘのうち開口部１５内に位置する部分をより小さくするよりも、表示品位の低下や明るさの低下を抑えることができる。
【００９４】
上述の液晶装置３Ａおよび液晶装置３Ｂの構成は、以下のような構成であるとも言える。すなわち、画素電極２８に対して方位角方向Ｐｄを回転方向にずらすことで配向不良発生領域Ｄｘ，Ｄｙのうち一方の配向不良の程度を悪化させ、他方の配向不良の程度を改善させる。そして、悪化した方の配向不良発生領域と遮光部１４との平面的な重なりが大きくなる方向に、画素電極２８をずらして配置する。この構成により、配向不良発生領域Ｄｘ，Ｄｙのうち開口部１５内に位置する部分が大きいのは、配向不良の程度が改善した方となる。この結果、第１の実施形態に係る液晶装置１Ａおよび液晶装置１Ｂの構成と比べて、表示品位の低下や明るさの低下をより効果的に抑えることが可能となる。
【００９５】
なお、上述の液晶装置３Ａおよび液晶装置３Ｂの構成において、画素電極２８に対して方位角方向Ｐｄを回転方向にずらす角度は３°に限定されるものではない。しかしながら、回転方向にずらす角度が大きくなるほど、画素１２を透過する光の量が減少するため明るさが低下する。本実施形態では、このような明るさの低下を抑えるため、時計回りまたは反時計回りの回転方向にずらす角度を３°としている。
【００９６】
また、配向不良発生領域Ｄｘ，Ｄｙにおける配向不良の程度は、配線電位や画素１２（画素電極２８）に印加される電位などによって異なる場合がある。したがって、方位角方向Ｐｄを液晶装置３Ａのように時計回りの回転方向にずらすか、液晶装置３Ｂのように反時計回りの回転方向にずらすかは、実際に発生する配向不良の程度に応じて選択することが望ましい。
【００９７】
（実施例４）
図７は、第２の実施形態の実施例４に係る液晶装置の画素を拡大して示す平面図である。実施例４では、実施例３と比べて、遮光部のＸ方向に沿った部分とＹ方向に沿った部分とで一方の幅が他方の幅よりも大きい点が異なっている。そして、実施例４にも、プレチルトの方位角が４５°未満であるか４５°を超えるかによって、液晶装置４Ａと液晶装置４Ｂとの２通りの構成がある。図７（ａ）にはプレチルトの方位角が４５°未満に設定された液晶装置４Ａを示し、図７（ｂ）にはプレチルトの方位角が４５°よりも大きく設定された液晶装置４Ｂを示している。
【００９８】
（実施例４−１）
図７（ａ）に示す液晶装置４Ａでは、実施例３−１の液晶装置３Ａと同様に、プレチルトの方位角θｃは４５°よりも小さく、例えば４２°に設定されている。したがって、液晶装置４Ａでは、画素電極２８に対して方位角方向Ｐｄがずれていない場合と比べて、対角線２８ｄに対して時計回りの回転方向側に位置する配向不良発生領域Ｄｙにおける配向不良の程度は改善し、対角線２８ｄに対して反時計回りの回転方向側に位置する配向不良発生領域Ｄｘにおける配向不良の程度は悪化する。また、液晶装置４Ａの遮光部１６では、実施例２−１の液晶装置２Ａと同様に、Ｘ方向に沿った部分１６ｘの幅はＹ方向に沿った部分１６ｙの幅よりも大きい。
【００９９】
このような液晶装置４Ａにおいて、画素電極２８の中心２８ｃは、開口部１７の中心１７ｃに対して、Ｙ方向に沿って方位角方向Ｐｄの側にずれた位置に配置されている。言い換えると、画素電極２８が遮光部１６に対して、配向不良の程度が悪化する方の配向不良発生領域Ｄｘの側と、幅が大きい（すなわち、面積が大きい）方の部分１６ｘとの平面的な重なりが大きくなる方向にずれるように配置されている。
【０１００】
そのため、画素電極２８の中心２８ｃと開口部１７の中心１７ｃとが同じ位置にある場合と比べて、配向不良の程度が悪化する方の配向不良発生領域Ｄｘのうち、遮光部１６と平面的に重なる部分がより大きくなるので、開口部１７内に位置する部分をより小さくできる。また、画素電極２８をＸ方向に沿ってずらして配向不良の程度が改善する方の配向不良発生領域Ｄｙのうち開口部１５内に位置する部分をより小さくするよりも、表示品位の低下や明るさの低下を抑えることができる。
【０１０１】
（実施例４−２）
図７（ｂ）に示す液晶装置４Ｂでは、実施例３−２の液晶装置３Ｂと同様に、プレチルトの方位角θｄは４５°よりも大きく、例えば４８°に設定されている。したがって、液晶装置４Ｂでは、画素電極２８に対して方位角方向Ｐｄがずれていない場合と比べて、対角線２８ｄに対して反時計回りの回転方向側に位置する配向不良発生領域Ｄｘにおける配向不良の程度は改善し、対角線２８ｄに対して時計回りの回転方向側に位置する配向不良発生領域Ｄｙにおける配向不良の程度は悪化する。また、液晶装置４Ｂの遮光部１８では、実施例２−２の液晶装置２Ｂと同様に、Ｙ方向に沿った部分１８ｙの幅はＸ方向に沿った部分１８ｘの幅よりも大きい。
【０１０２】
このような液晶装置４Ｂにおいて、画素電極２８の中心２８ｃは、開口部１９の中心１９ｃに対して、Ｘ方向に沿って方位角方向Ｐｄの側にずれた位置に配置されている。言い換えると、画素電極２８が遮光部１８に対して、配向不良の程度が悪化する方の配向不良発生領域Ｄｙの側と、幅が大きい（すなわち、面積が大きい）方の部分１８ｙとの平面的な重なりが大きくなる方向にずれるように配置されている。
【０１０３】
そのため、画素電極２８の中心２８ｃと開口部１９の中心１９ｃとが同じ位置にある場合と比べて、配向不良の程度が悪化する方の配向不良発生領域Ｄｙのうち、遮光部１８と平面的に重なる部分がより大きくなるので、開口部１９内に位置する部分をより小さくできる。また、画素電極２８をＹ方向に沿ってずらして配向不良の程度が改善する方の配向不良発生領域Ｄｘのうち開口部１５内に位置する部分をより小さくするよりも、表示品位の低下や明るさの低下を抑えることができる。
【０１０４】
上述の液晶装置４Ａおよび液晶装置４Ｂの構成は、以下のような構成であるとも言える。すなわち、遮光部１６，１８のＸ方向に沿った部分とＹ方向に沿った部分とで幅が異なる場合に、画素電極２８に対して方位角方向Ｐｄを回転方向にずらすことで、配向不良発生領域Ｄｘ，Ｄｙのうち、遮光部１６，１８の幅が大きい方の部分１６ｘ，１８ｙと平面的に重なる方の配向不良の程度を悪化させ、他方の配向不良の程度を改善させる。そして、幅が大きい方の部分１６ｘ，１８ｙと悪化した方の配向不良発生領域との平面的な重なりが大きくなる方向に画素電極２８をずらして配置する。この構成により、配向不良発生領域Ｄｘ，Ｄｙのうち、遮光部１６，１８の幅が小さい方の部分１６ｙ，１８ｘと平面的に重なり開口部１５内に位置する部分が大きいのは、配向不良の程度が改善した方となる。この結果、第１の実施形態に係る液晶装置２Ａおよび液晶装置２Ｂの構成と比べて、表示品位の低下や明るさの低下をより効果的に抑えることが可能となる。
【０１０５】
以上述べたように、第２の実施形態に係る液晶装置３Ａ，３Ｂの構成によれば、配向不良発生領域Ｄｘ，Ｄｙの一方における配向不良の程度が悪化するように、方位角方向Ｐｄを画素電極２８に対して回転方向にずらして配置する。そして、配向不良発生領域Ｄｘ，Ｄｙのうち配向不良の程度が悪化する方の側と遮光部１４との平面的な重なりがより大きくなるように、画素電極２８を遮光部１４に対してずらして配置する。また、第２の実施形態に係る液晶装置４Ａ，４Ｂの構成によれば、遮光部１６，１８のＸ方向に沿った部分とＹ方向に沿った部分とで幅が異なる場合に、配向不良発生領域Ｄｘ，Ｄｙのうち幅が大きい方の部分１６ｘ，１８ｙと平面的に重なる方の配向不良の程度が悪化するように、方位角方向Ｐｄを画素電極２８に対して回転方向にずらして配置する。そして、配向不良発生領域Ｄｘ，Ｄｙのうち配向不良の程度が悪化する方と幅が大きい方の部分１６ｘ，１８ｙとの平面的な重なりがより大きくなるように、画素電極２８を遮光部１４に対してずらして配置する。これにより、配向不良発生領域Ｄｘ，Ｄｙのうち配向不良の程度が悪化する方の開口部１５，１７，１９内に位置する部分を小さくできるので、垂直配向モードの液晶装置３Ａ，３Ｂ，４Ａ，４Ｂにおいて、配向不良に起因する表示品位の低下や明るさの低下をより効果的に抑えることができる。
【０１０６】
（第３の実施形態）
次に、第３の実施形態に係る液晶装置の構成について、図８および図９を参照して説明する。第３の実施形態に係る液晶装置には２つの実施例があり、２つの実施例のそれぞれについて２通りの構成がある。以下では、第１の実施形態および第２の実施形態に対して異なる点を説明し、その他の説明は省略する。また、第１の実施形態および第２の実施形態と共通する構成要素については、同一の符号を付しその説明を省略する。
【０１０７】
（実施例５）
図８は、第３の実施形態の実施例５に係る液晶装置の画素を拡大して示す平面図である。実施例５では、第１の実施形態の実施例１と比べて、走査線の延在方向に対する画素電極の対角線の角度が４５°以外の角度に設定されており、画素電極がプレチルトの方位角に対して回転方向にずれている点が異なるが、その他の構成は同じである。実施例５には、走査線の延在方向に対する画素電極の対角線の角度が４５°未満であるか４５°を超えるかによって、液晶装置５Ａと液晶装置５Ｂとの２通りの構成がある。図８（ａ）には走査線の延在方向に対する画素電極の対角線の角度が４５°よりも大きく設定された液晶装置５Ａを示し、図８（ｂ）には走査線の延在方向に対する画素電極の対角線の角度が４５°未満に設定された液晶装置５Ｂを示している。
【０１０８】
（実施例５−１）
図８（ａ）に示す液晶装置５Ａにおいて、Ｘ方向（走査線６２の延在方向）に対する画素電極２８の対角線２８ｄの角度θｆは４５°よりも大きく、例えば４８°に設定されている。したがって、画素電極２８の対角線２８ｄとＸ方向とがなす角度θｆは、プレチルトの方位角θａよりも３°大きい。言い換えると、方位角方向Ｐｄに対して、画素電極２８が反時計回りの回転方向に３°ずれるように配置されている。
【０１０９】
方位角方向Ｐｄに対して画素電極２８が回転方向にずれて配置されている場合、方位角方向Ｐｄの側の角２８ａを挟む辺２８ｘの側と辺２８ｙの側とで、発生する配向不良の程度に差が生じる。
【０１１０】
図８（ａ）に示す液晶装置５Ａのように方位角方向Ｐｄに対して画素電極２８が反時計回りの回転方向にずれて配置されている場合、方位角方向Ｐｄに対して画素電極２８がずれていない場合と比べて、対角線２８ｄに対して時計回りの回転方向側に位置する配向不良発生領域Ｄｙにおける配向不良の程度は改善する。一方、対角線２８ｄに対して反時計回りの回転方向側に位置する配向不良発生領域Ｄｘにおける配向不良の程度は悪化する。
【０１１１】
なお、液晶装置５Ａでは、遮光部１４に対して画素電極２８が回転方向にずれるように配置されていると言うこともできる。配向不良は隣り合う画素電極２８同士の横電界に起因して発生するため、配向不良発生領域Ｄｘは、画素電極２８の辺２８ｘに沿うこととなり、Ｘ方向に対して傾斜する。また、配向不良発生領域Ｄｙは、画素電極２８の辺２８ｙに沿うこととなり、Ｙ方向に対して傾斜する。したがって、配向不良発生領域Ｄｘおよび配向不良発生領域Ｄｙは、それぞれ遮光部１４の部分１４ｘ，部分１４ｙに対して傾斜している。
【０１１２】
このような液晶装置５Ａにおいて、画素電極２８の中心２８ｃは、開口部１５の中心１５ｃに対して、Ｙ方向に沿って方位角方向Ｐｄの側にずれた位置に配置されている。言い換えると、画素電極２８が遮光部１４に対して、配向不良の程度が悪化する方の配向不良発生領域Ｄｘの側と遮光部１４（部分１４ｘ）との平面的な重なりが大きくなる方向にずれるように配置されている。
【０１１３】
そのため、画素電極２８の中心２８ｃと開口部１５の中心１５ｃとが同じ位置にある場合と比べて、配向不良の程度が悪化する方の配向不良発生領域Ｄｘのうち、遮光部１４と平面的に重なる部分が大きくなるので、開口部１５内に位置する部分を小さくできる。この結果、表示品位の低下や明るさの低下をより抑えることができる。
【０１１４】
液晶装置５Ａにおいても、第２の実施形態の実施例３−１の液晶装置３Ａと同様に、Ｘ方向に沿ってずらすよりも、Ｙ方向に沿ってずらして配向不良の程度が悪化する方の配向不良発生領域Ｄｘのうち開口部１５内に位置する部分をより小さくする方が、表示品位の低下や明るさの低下をより効果的に抑えることができる。
【０１１５】
（実施例５−２）
図８（ｂ）に示す液晶装置５Ｂにおいて、Ｘ方向に対する画素電極２８の対角線２８ｄの角度θｇは４５°よりも小さく、例えば４２°に設定されている。したがって、画素電極２８の対角線２８ｄとＸ方向とがなす角度θｇは、プレチルトの方位角θａよりも３°小さい。言い換えると、方位角方向Ｐｄに対して、画素電極２８が時計回りの回転方向に３°ずれるように配置されている。
【０１１６】
方位角方向Ｐｄに対して画素電極２８が時計回りの回転方向にずれて配置されている場合、方位角方向Ｐｄに対して画素電極２８の対角線２８ｄがずれていない場合と比べて、対角線２８ｄに対して反時計回りの回転方向側に位置する配向不良発生領域Ｄｘにおける配向不良の程度は改善する。一方、対角線２８ｄに対して時計回りの回転方向側に位置する配向不良発生領域Ｄｙにおける配向不良の程度は悪化する。
【０１１７】
このような液晶装置５Ｂにおいて、画素電極２８の中心２８ｃは、開口部１５の中心１５ｃに対して、Ｘ方向に沿って方位角方向Ｐｄの側にずれた位置に配置されている。言い換えると、画素電極２８が遮光部１４に対して、配向不良の程度が悪化する方の配向不良発生領域Ｄｙの側と遮光部１４（部分１４ｙ）との平面的な重なりが大きくなる方向にずれるように配置されている。
【０１１８】
そのため、画素電極２８の中心２８ｃと開口部１５の中心１５ｃとが同じ位置にある場合と比べて、配向不良の程度が悪化する方の配向不良発生領域Ｄｙのうち、遮光部１４と平面的に重なる部分が大きくなるので、開口部１５内に位置する部分を小さくできる。また、画素電極２８をＹ方向に沿ってずらして配向不良の程度が改善する方の配向不良発生領域Ｄｘのうち開口部１５内に位置する部分をより小さくするよりも、表示品位の低下や明るさの低下を抑えることができる。
【０１１９】
上述の液晶装置５Ａおよび液晶装置５Ｂの構成は、以下のような構成であるとも言える。すなわち、方位角方向Ｐｄに対して画素電極２８を回転方向にずらすことで配向不良発生領域Ｄｘ，Ｄｙのうち一方の配向不良の程度を悪化させ、他方の配向不良の程度を改善させる。そして、悪化した方の配向不良発生領域と遮光部１４との平面的な重なりが大きくなる方向に、画素電極２８をずらして配置する。この構成により、配向不良発生領域Ｄｘ，Ｄｙのうち開口部１５内に位置する部分が大きいのは、配向不良の程度が改善した方となる。この結果、第１の実施形態に係る液晶装置１Ａおよび液晶装置１Ｂの構成と比べて、表示品位の低下や明るさの低下をより効果的に抑えることが可能となる。
【０１２０】
なお、第２の実施形態と同様に、上述の液晶装置５Ａおよび液晶装置５Ｂの構成においても、方位角方向Ｐｄに対して画素電極２８を回転方向にずらす角度が大きくなるほど、画素１２を透過する光の量が減少するため明るさが低下する。本実施形態では、このような明るさの低下を抑えるため、方位角方向Ｐｄに対して画素電極２８を時計回りまたは反時計回りの回転方向にずらす角度を３°としている。
【０１２１】
また、第２の実施形態と同様に、配向不良発生領域Ｄｘ，Ｄｙにおける配向不良の程度は、配線電位や画素１２（画素電極２８）に印加される電位などによって異なる場合がある。したがって、画素電極２８を液晶装置５Ａのように反時計回りの回転方向にずらすか、液晶装置５Ｂのように時計回りの回転方向にずらすかは、実際に発生する配向不良の程度に応じて選択することが望ましい。
【０１２２】
（実施例６）
図９は、第３の実施形態の実施例６に係る液晶装置の画素を拡大して示す平面図である。実施例６では、実施例５と比べて、遮光部のＸ方向に沿った部分とＹ方向に沿った部分とで一方の幅が他方の幅よりも大きい点が異なっている。そして、実施例６にも、走査線の延在方向に対する画素電極の対角線の角度が４５°未満であるか４５°を超えるかによって、液晶装置６Ａと液晶装置６Ｂとの２通りの構成がある。図９（ａ）には走査線の延在方向に対する画素電極の対角線の角度が４５°よりも大きく設定された液晶装置６Ａを示し、図９（ｂ）には走査線の延在方向に対する画素電極の対角線の角度が４５°未満に設定された液晶装置６Ｂを示している。
【０１２３】
（実施例６−１）
図９（ａ）に示す液晶装置６Ａでは、実施例５−１の液晶装置５Ａと同様に、Ｘ方向に対する画素電極２８の対角線２８ｄの角度θｆは４５°よりも大きく、例えば４８°に設定されている。したがって、液晶装置６Ａでは、方位角方向Ｐｄに対して画素電極２８がずれていない場合と比べて、対角線２８ｄに対して時計回りの回転方向側に位置する配向不良発生領域Ｄｙにおける配向不良の程度は改善する。
【０１２４】
一方、対角線２８ｄに対して反時計回りの回転方向側に位置する配向不良発生領域Ｄｘにおける配向不良の程度は悪化する。また、液晶装置６Ａの遮光部１６では、実施例２−１の液晶装置２Ａと同様に、Ｘ方向に沿った部分１６ｘの幅はＹ方向に沿った部分１６ｙの幅よりも大きい。
【０１２５】
このような液晶装置６Ａにおいて、画素電極２８の中心２８ｃは、開口部１７の中心１７ｃに対して、Ｙ方向に沿って方位角方向Ｐｄの側にずれた位置に配置されている。言い換えると、画素電極２８が遮光部１６に対して、配向不良の程度が悪化する方の配向不良発生領域Ｄｘの側と、幅が大きい（すなわち、面積が大きい）方の部分１６ｘとの平面的な重なりが大きくなる方向にずれるように配置されている。
【０１２６】
そのため、画素電極２８の中心２８ｃと開口部１７の中心１７ｃとが同じ位置にある場合と比べて、配向不良の程度が悪化する方の配向不良発生領域Ｄｘのうち、遮光部１６と平面的に重なる部分がより大きくなるので、開口部１７内に位置する部分をより小さくできる。また、画素電極２８をＸ方向に沿ってずらして配向不良の程度が改善する方の配向不良発生領域Ｄｙのうち開口部１５内に位置する部分をより小さくするよりも、表示品位の低下や明るさの低下を抑えることができる。
【０１２７】
（実施例６−２）
図９（ｂ）に示す液晶装置６Ｂでは、実施例５−２の液晶装置５Ｂと同様に、Ｘ方向に対する画素電極２８の対角線２８ｄの角度θｇは４５°よりも小さく、例えば４２°に設定されている。したがって、液晶装置６Ｂでは、対角線２８ｄに対して方位角方向Ｐｄがずれていない場合と比べて、対角線２８ｄに対して反時計回りの回転方向側に位置する配向不良発生領域Ｄｘにおける配向不良の程度は改善し、対角線２８ｄに対して時計回りの回転方向側に位置する配向不良発生領域Ｄｙにおける配向不良の程度は悪化する。また、液晶装置６Ｂの遮光部１８では、実施例２−２の液晶装置２Ｂと同様に、Ｙ方向に沿った部分１８ｙの幅はＸ方向に沿った部分１８ｘの幅よりも大きい。
【０１２８】
このような液晶装置６Ｂにおいて、画素電極２８の中心２８ｃは、開口部１９の中心１９ｃに対して、Ｘ方向に沿って方位角方向Ｐｄの側にずれた位置に配置されている。言い換えると、画素電極２８が遮光部１８に対して、配向不良の程度が悪化する方の配向不良発生領域Ｄｙの側と、幅が大きい（すなわち、面積が大きい）方の部分１８ｙとの平面的な重なりが大きくなる方向にずれるように配置されている。
【０１２９】
そのため、画素電極２８の中心２８ｃと開口部１９の中心１９ｃとが同じ位置にある場合と比べて、配向不良の程度が悪化する方の配向不良発生領域Ｄｙのうち、遮光部１８と平面的に重なる部分がより大きくなるので、開口部１９内に位置する部分をより小さくできる。また、画素電極２８をＹ方向に沿ってずらして配向不良の程度が改善する方の配向不良発生領域Ｄｘのうち開口部１５内に位置する部分をより小さくするよりも、表示品位の低下や明るさの低下を抑えることができる。
【０１３０】
上述の液晶装置６Ａおよび液晶装置６Ｂの構成は、以下のような構成であるとも言える。すなわち、遮光部１６，１８のＸ方向に沿った部分とＹ方向に沿った部分とで幅が異なる場合に、方位角方向Ｐｄに対して画素電極２８を回転方向にずらすことで、配向不良発生領域Ｄｘ，Ｄｙのうち、遮光部１６，１８の幅が大きい方の部分１６ｘ，１８ｙと平面的に重なる方の配向不良の程度を悪化させ、他方の配向不良の程度を改善させる。そして、幅が大きい方の部分１６ｘ，１８ｙと悪化した方の配向不良発生領域との平面的な重なりが大きくなる方向に画素電極２８をずらして配置する。この構成により、配向不良発生領域Ｄｘ，Ｄｙのうち、遮光部１６，１８の幅が小さい方の部分１６ｙ，１８ｘと平面的に重なり開口部１５内に位置する部分が大きいのは、配向不良の程度が改善した方となる。この結果、第１の実施形態に係る液晶装置２Ａおよび液晶装置２Ｂの構成と比べて、表示品位の低下や明るさの低下をより効果的に抑えることが可能となる。
【０１３１】
以上述べたように、第３の実施形態に係る液晶装置５Ａ，５Ｂの構成によれば、画素電極２８を方位角方向Ｐｄに対して回転方向にずらして配置することにより、配向不良発生領域Ｄｘ，Ｄｙの一方における配向不良の程度が悪化するようにする。そして、配向不良発生領域Ｄｘ，Ｄｙのうち配向不良の程度が悪化する方の側と遮光部１４との平面的な重なりがより大きくなるように、画素電極２８を遮光部１４に対してずらして配置する。また、第３の実施形態に係る液晶装置６Ａ，６Ｂの構成によれば、遮光部１６，１８のＸ方向に沿った部分とＹ方向に沿った部分とで幅が異なる場合に、配向不良発生領域Ｄｘ，Ｄｙのうち幅が大きい方の部分１６ｘ，１８ｙと平面的に重なる方の配向不良の程度が悪化するように、画素電極２８を方位角方向Ｐｄに対して回転方向にずらして配置する。そして、配向不良発生領域Ｄｘ，Ｄｙのうち配向不良の程度が悪化する方と幅が大きい方の部分１６ｘ，１８ｙとの平面的な重なりがより大きくなるように、画素電極２８を遮光部１４に対してずらして配置する。これにより、配向不良発生領域Ｄｘ，Ｄｙのうち配向不良の程度が悪化する方の開口部１５，１７，１９内に位置する部分を小さくできるので、垂直配向モードの液晶装置５Ａ，５Ｂ，６Ａ，６Ｂにおいて、配向不良に起因する表示品位の低下や明るさの低下をより効果的に抑えることができる。
【０１３２】
なお、第３の実施形態に係る液晶装置５Ａ，５Ｂ，６Ａ，６Ｂにおいて、遮光部１４，１６，１８の部分１４ｘ，１６ｘ，１８ｘが画素電極２８の辺２８ｘに沿って傾斜し、部分１４ｙ，１６ｙ，１８ｙが画素電極２８の辺２８ｙに沿って傾斜した構成としてもよい。すなわち、遮光部１４，１６，１８の部分１４ｘ，１６ｘ，１８ｘがＸ方向に対して傾斜し、部分１４ｙ，１６ｙ，１８ｙがＹ方向に対して傾斜した構成としてもよい。
【０１３３】
上述した通り、方位角方向Ｐｄに対して画素電極２８が時計回りまたは反時計回りの回転方向にずれるように配置すると、配向不良発生領域Ｄｘ，Ｄｙは、それぞれ辺２８ｘ，２８ｙに沿って傾斜する。したがって、遮光部１４，１６，１８の部分１４ｘ，１６ｘ，１８ｘおよび部分１４ｙ，１６ｙ，１８ｙをそれぞれ辺２８ｘ，２８ｙに沿って傾斜させれば、配向不良発生領域Ｄｘ，Ｄｙのうち遮光部１４，１６，１８と平面的に重なる部分をより大きくすることができる。
【０１３４】
＜電子機器＞
次に、本実施形態に係る電子機器について図１０を参照して説明する。図１０は、本実施形態に係る電子機器としてのプロジェクターの構成を示す概略図である。
【０１３５】
図１０に示すように、本実施形態に係る電子機器としてのプロジェクター（投写型表示装置）１００は、偏光照明装置１１０と、２つのダイクロイックミラー１０４，１０５と、３つの反射ミラー１０６，１０７，１０８と、５つのリレーレンズ１１１，１１２，１１３，１１４，１１５と、３つの液晶ライトバルブ１２１，１２２，１２３と、クロスダイクロイックプリズム１１６と、投写レンズ１１７とを備えている。
【０１３６】
偏光照明装置１１０は、例えば超高圧水銀灯やハロゲンランプなどの白色光源からなる光源としてのランプユニット１０１と、インテグレーターレンズ１０２と、偏光変換素子１０３とを備えている。ランプユニット１０１と、インテグレーターレンズ１０２と、偏光変換素子１０３とは、システム光軸Ｌｘに沿って配置されている。
【０１３７】
ダイクロイックミラー１０４は、偏光照明装置１１０から射出された偏光光束のうち、赤色光（Ｒ）を反射させ、緑色光（Ｇ）と青色光（Ｂ）とを透過させる。もう１つのダイクロイックミラー１０５は、ダイクロイックミラー１０４を透過した緑色光（Ｇ）を反射させ、青色光（Ｂ）を透過させる。
【０１３８】
ダイクロイックミラー１０４で反射した赤色光（Ｒ）は、反射ミラー１０６で反射した後にリレーレンズ１１５を経由して液晶ライトバルブ１２１に入射する。ダイクロイックミラー１０５で反射した緑色光（Ｇ）は、リレーレンズ１１４を経由して液晶ライトバルブ１２２に入射する。ダイクロイックミラー１０５を透過した青色光（Ｂ）は、３つのリレーレンズ１１１，１１２，１１３と２つの反射ミラー１０７，１０８とで構成される導光系を経由して液晶ライトバルブ１２３に入射する。
【０１３９】
光変調素子としての透過型の液晶ライトバルブ１２１，１２２，１２３は、クロスダイクロイックプリズム１１６の色光ごとの入射面に対してそれぞれ対向配置されている。液晶ライトバルブ１２１，１２２，１２３に入射した色光は、映像情報（映像信号）に基づいて変調され、クロスダイクロイックプリズム１１６に向けて射出される。
【０１４０】
クロスダイクロイックプリズム１１６は、４つの直角プリズムが貼り合わされて構成されており、その内面には赤色光を反射する誘電体多層膜と青色光を反射する誘電体多層膜とが十字状に形成されている。これらの誘電体多層膜によって３つの色光が合成されて、カラー画像を表す光が合成される。合成された光は、投写光学系である投写レンズ１１７によってスクリーン１３０上に投写され、画像が拡大されて表示される。
【０１４１】
液晶ライトバルブ１２１は、色光の入射側と射出側とにおいてクロスニコルに配置された一対の偏光素子の間に隙間を置いて配置されている。他の液晶ライトバルブ１２２，１２３も同様である。液晶ライトバルブ１２１，１２２，１２３は、上記実施形態に係る液晶装置１Ａ，１Ｂ，２Ａ，２Ｂ，３Ａ，３Ｂ，４Ａ，４Ｂ，５Ａ，５Ｂ，６Ａ，６Ｂのいずれかが適用されたものである。
【０１４２】
本実施形態に係るプロジェクター１００の構成によれば、複数の画素１２が高精細に配置されていても、明るい表示と優れた表示品質とを得ることができる液晶装置を備えているので、明るくてコントラストが良好な画像を表示できるプロジェクター１００を提供することができる。
【０１４３】
上述した実施形態は、あくまでも本発明の一態様を示すものであり、本発明の範囲内で任意に変形および応用が可能である。変形例としては、例えば、以下のようなものが考えられる。
【０１４４】
（変形例１）
上記実施形態では、液晶装置１Ａ，１Ｂ，２Ａ，２Ｂ，３Ａ，３Ｂ，４Ａ，４Ｂ，５Ａ，５Ｂ，６Ａ，６Ｂが光を透過する透過型の液晶装置であり、プロジェクター１００が光変調手段として透過型の液晶装置を備えた透過型のプロジェクターであったが、本発明はこれに限定されるものではない。液晶装置が光を反射する反射型の液晶装置であり、プロジェクターが光変調手段として反射型の液晶装置を備えた反射型のプロジェクターであってもよい。反射型の液晶装置およびプロジェクターに本発明を適用した場合にも、透過型の液晶装置およびプロジェクターと同様の効果を得ることができる。
【０１４５】
（変形例２）
上記の実施形態のプロジェクター１００では、液晶装置１Ａ，１Ｂ，２Ａ，２Ｂ，３Ａ，３Ｂ，４Ａ，４Ｂ，５Ａ，５Ｂ，６Ａ，６Ｂのいずれかが適用された３枚の液晶ライトバルブ１２１，１２２，１２３を備えていたが、本発明はこのような形態に限定されない。プロジェクター１００は、２枚以下の液晶ライトバルブ（液晶装置）を備えた構成であってもよいし、４枚以上の液晶ライトバルブ（液晶装置）を備えた構成であってもよい。
【符号の説明】
【０１４６】
１，１Ａ，１Ｂ，２Ａ，２Ｂ，３Ａ，３Ｂ，４Ａ，４Ｂ，５Ａ，５Ｂ，６Ａ，６Ｂ…液晶装置（電気光学装置）、１４，１６，１８…遮光部、１４ｘ，１６ｘ，１８ｘ…部分（走査線の延在方向に沿った部分）、１４ｙ，１６ｙ，１８ｙ…部分（データ線の延在方向に沿った部分）、１５，１７，１９…開口部、１５ｃ，１７ｃ，１９ｃ…開口部の中心、２０…素子基板（一方の基板）、２８…画素電極、２８ａ…画素電極におけるプレチルトの方位角の方向の側の角、２８ｂ…対角、２８ｃ…画素電極の中心、２８ｄ…画素電極の対角線、２９…配向膜、３０…対向基板、３５…配向膜、４０…液晶層、４０ａ…液晶分子（液晶）、６２…走査線、６３…データ線、１００…プロジェクター（電子機器）、Ｐｄ…方位角方向（プレチルトの方位角の方向）、θａ，θｃ，θｄ…プレチルトの方位角。
【図１】
2016095443.tif 000003
【図２】
2016095443.tif 000004
【図３】
2016095443.tif 000005
【図４】
2016095443.tif 000006
【図５】
2016095443.tif 000007
【図６】
2016095443.tif 000008
【図７】
2016095443.tif 000009
【図８】
2016095443.tif 000010
【図９】
2016095443.tif 000011
【図１０】
2016095443.tif 000012
【図１１】
2016095443.tif 000013